(57)【要約】【課題】２つのＣＰＵを一方のデータバスで接続する場合、データバスのマスタ側ＣＰＵがメモリアクセスを行なうと、データバス等の信号線の変化がデータバスにスレーブとして接続されているＣＰＵ側の入力バッファや内部回路等を不要に動作させてしまい、不要な電流が流れてしまうために、待ち受け時間や通話時間が短くなってしまう。【解決手段】第１の制御手段は、表示を行なう場合はゲート手段を開き、第２の制御部に表示データを送り込んで表示を行ない、メモリアクセスを行なう場合はゲート手段を閉じることにより第１の制御手段と第２の制御手段の内部との接続を分断する。【選択図】  図１
2004180040.tif 000002
【特許請求の範囲】
【請求項１】
無線信号の送受信を行なうアンテナと、映像を表示する表示手段と、これらを制御する第１の制御手段と、第２の制御手段とを有する携帯端末装置において、
前記第２の制御手段は、映像情報を処理する演算手段と、前記第１の制御手段からの信号線を接続して各種データを送受信する接続端子部と、前記第１の制御手段から前記接続端子部を介して出力された入力信号を内部に伝達するか否かを、前記第１の制御手段から出力された制御信号により、選択するゲート手段と、前記第１の制御手段から前記接続端子部と前記ゲート手段とを介して出力された表示データと前記演算手段で処理され出力された表示データを選択する表示データ選択手段と、を有し、
前記表示データ選択手段で選択された表示データを基に、前記表示手段で映像を表示することを特徴とする携帯端末装置。
【請求項２】
請求項１に記載の携帯端末装置において、
前記第１の制御手段は、第２の制御手段以外の回路とデータの送受信を行なう場合、前記ゲート手段が前記入力信号を内部に伝達しないよう制御する制御信号を送信することを特徴とする携帯端末装置。
【請求項３】
請求項２に記載の携帯端末装置において、
前記表示手段は、前記第１の制御手段が第２の制御手段以外の回路とデータの送受信を行なう場合、前記演算手段で処理され出力された表示データを基に、映像を表示することを特徴とする携帯端末装置。
【請求項４】
請求項１に記載の携帯端末装置において、
前記第２の演算手段は、内部回路を有し、
前記映像情報は、前記第１の制御手段から前記接続端子部、前記ゲート手段及び前記内部回路を介して、前記演算手段に入力されることを特徴とする携帯端末装置。
【請求項５】
請求項１に記載の携帯端末装置において、
前記ゲート手段は、前記第１の制御手段より出力される汎用ポートによって制御されることを特徴とする携帯端末装置。
【請求項６】
請求項１に記載の携帯端末装置において、
前記ゲート手段は、前記第１の制御手段より出力されるチップセレクト信号によって制御されることを特徴とする携帯端末装置。
【請求項７】
請求項１乃至６のいずれかに記載の携帯端末装置において、
前記表示データ選択手段の選択は、前記第１の制御手段によって制御されることを特徴とする携帯端末装置。
【請求項８】
請求項１乃至７のいずれかに記載の携帯端末装置において、
前記第２の制御部の動作状態に応じて、前記表示データ選択部の選択が制御されることを特徴とする携帯端末装置。
【請求項９】
第１の制御手段と、第２の制御手段とを有する信号制御回路において、
前記第２の制御手段は、情報を処理する演算手段と、前記第１の制御手段からの信号線を接続して各種データを送受信する接続端子部と、前記第１の制御手段から前記接続端子部を介して出力された入力信号を内部に伝達するか否かを、前記第１の制御手段から出力された制御信号により、選択するゲート手段と、前記第１の制御手段から前記接続端子部と前記ゲート手段とを介して出力されたデータと前記演算手段で処理され出力されたデータを選択し、出力するデータ選択手段と、を有することを特徴とする信号制御回路。
【請求項１０】
請求項９に記載の信号制御回路において、
前記第１の制御手段は、第２の制御手段以外の回路とデータの送受信を行なう場合、前記ゲート手段が前記入力信号を内部に伝達しないよう制御する制御信号を送信することを特徴とする信号制御回路。
【発明の詳細な説明】
【０００１】
【発明の属する技術分野】
本発明は、無線回線を用いて音声・データ通信を行なう携帯端末装置で、２つのＣＰＵを備える携帯端末装置に関する。
【０００２】
【従来の技術】
従来の２ＣＰＵ構成の携帯電話機としては、携帯電話機内に通信用ＣＰＵと携帯ゲーム用ＣＰＵの２つのＣＰＵを備え、同一の液晶に対して、両ＣＰＵから各々異なる信号線を用いて表示を行なっている（例えば、特許文献１参照）。
【０００３】
【特許文献１】
特開２００１−１３６２５０号公報（第４頁、第６図）
【０００４】
【発明が解決しようとする課題】
しかし、特許文献１のように２つのＣＰＵが同一の液晶に対して異なる信号線から表示を行なう構成では、各々のＣＰＵが独自のタイミングで表示データを出力した場合、表示データの転送タイミングが重なってしまうと、表示データが壊れてしまい表示ミスが起こる事が予想される。
【０００５】
また、２つのＣＰＵの間をどちらか一方のデータバスを用いて接続した場合、２ＣＰＵのデータ送受信動作は、２ＣＰＵ間のデータ送受信だけでなく、例えば各ＣＰＵがメモリアクセスを行なう場合も存在する。その場合、データバスのマスタ側ＣＰＵによってメモリアクセスのために動作するデータバス等の信号線の変化が、データバスにスレーブとして接続されているＣＰＵ側の入力バッファや内部回路等を不要に動作させてしまい、不要な電流が流れてしまう。これでは、携帯電話機全体の消費電力が増加してしまい、待ち受け時間や通話時間が短くなってしまう。
【０００６】
【課題を解決するための手段】
上記問題点を解決するため、本発明の携帯端末装置は、第１の制御手段と、第２の制御手段と、映像を表示する表示手段を有し、第２の制御手段は、映像情報を処理する演算手段と、第１の制御手段からの入力信号を内部に伝達するか否かを、第１の制御手段から送信された制御信号により、選択するゲート手段と、第１の制御手段からの表示データと演算手段で処理され出力された表示データの選択する表示データ選択手段と、を有し、表示データ選択手段で選択された表示データを基に、表示手段で映像を表示する。
【０００７】
この構成により、２つの制御手段による表示処理を円滑に行なう事が可能になるほか、第２の制御部において、第１の制御部が第２の制御部とデータの送受信を行なわない場合に生じうる第１の制御部のデータバスの変化に伴う内部回路の不要な活性化を防ぐ事が可能となり、不必要な消費電流の削減が可能となる。
【０００８】
【発明の実施の形態】
本発明の実施の形態を図面を用いて説明する。本実施の形態は本発明を携帯端末装置としての携帯電話機に適用したものである。
【０００９】
図１は本発明の第１の実施の形態の内部回路構成を示すブロック図であり、１はアンテナ、２は無線通信部、３は符号複合処理部、４はマイク、５はレシーバ、６は表示部、７はキー等の入力部、８１は第１の制御部９用のメモリＡ、８２は第２の制御部１０用のメモリＢ、９は主に無線通信プロトコル処理を行なう第１の制御部、１０は主にマルチメディア系データのプロトコル処理を行なう第２の制御部である。
【００１０】
更に、第２の制御部において、１０１は演算処理を行なうためのＣＰＵ部、１０２はＣＰＵ部１０１以外の周辺モジュールによって構成される内部回路、１０３は第１の制御部の制御によって、第１の制御部より出力されたデータを第２の制御部内に伝達させないためのゲート部、１０４はＣＰＵ部１０１から出力される表示データと、第１の制御部９より出力された表示データとを選択して、表示部６に出力する為のデータ選択部、１０５は第１の制御部のデータバス関連信号線と接続して各種データを送受信するための接続端子である。
【００１１】
１２１は第１の制御部のデータバス関連信号、１２２は第２の制御部のデータバス関連信号、１２３はゲート部１０３を制御して、接続端子１０５より入力されたデータを内部に取り込むかを決定するデータ取り込み用チップセレクト信号（以降、ＣＳ１信号とする）、１２４は第２の制御部１０のＣＰＵ部１０１とデータ選択部１０４を接続するデータ出力信号Ａ、１２５はゲート部１０３を経由して、接続端子１０５と内部回路１０２及びデータ選択部１０４を接続するデータ出力信号Ｂである。
【００１２】
以下、各部の動作を説明する。アンテナ１は空中を伝送されてきた電波を受信し、高周波電気信号に変換して無線通信部２に入力する。また、これとは逆に、無線通信部２から出力された高周波電気信号を電波に変換して空中に放出する。無線通信部２は第１の制御部９の指示に基づき、アンテナ１で受信した高周波電気信号を復調し、符号復号処理部３に入力する。また、これとは逆に、符号復号処理部３の出力信号に変調処理を施し、高周波電気信号に変換してアンテナ１に出力する。符号復号処理部３は無線通信部２の出力信号に復号処理を施した後、音声データはレシーバ５に出力し、文字データ及び画像データは第１の制御部９に出力する。また、これとは逆に、マイク４の出力信号及び、第１の制御部９の出力信号に符号化処理を施し、無線通信部２に出力する。マイク４は音声データを電気信号に変換し、符号復号処理部３に出力する。レシーバ５は符号復号処理部３より出力される音声出力信号を音声に変換する。
【００１３】
第１の制御部９は主に通信プロトコル関連の処理を行なうための部であり、上述した各部の制御を行なう事で、携帯電話としての通信処理を行なう。但し、通信に関連するアプリケーションに関しては、第１の制御部９でも処理が行なわれる。第２の制御部１０は携帯電話機で実現される各種アプリケーションの中でも、特に演算にかかる処理負荷の重いアプリケーションを実行するための部であり、主に、静止画データや動画データの圧縮／伸長処理、音楽再生処理等のマルチメディアに関連するアプリケーションの処理を行なう。２つの制御部には、各種プログラムやデータを置くためのメモリが必要であり、各々のデータバスに接続されており、頻繁にデータの読み出し／書き込みを行っている。
【００１４】
表示部６は第２の制御部１０のデータバス１２２に接続される。これは、２つの制御部の主な処理内容を比較し、表示部６に対して出力するデータ量の多いと思われる制御部側に接続したほうが良いと考えたためである。
【００１５】
この構成の場合、表示部６が第２の制御部１０のデータバス１２２に接続されているため、第１の制御部９が表示を行ないたい時は、表示データを第１の制御部９のデータバス１２１から第２の制御部１０に送り、ゲート部１０３と表示データ選択部１０４を経由して第２の制御部１０のデータバス１２２より表示部６に出力して、表示を行なう事になる。
【００１６】
第１の制御部９のデータバス１２１は接続端子１０５を介して第２の制御部１０に接続されており、２つの制御部間でのデータ送受信も用いられる。データ取り込み用チップセレクト信号１２３は、第１の制御部９の汎用ポートが接続され、任意のタイミングでゲート部１０３のオン／オフ制御を行なう。
【００１７】
以下、本発明の第１の実施の形態を図２のフローチャートを用いて説明する。携帯電話機の電源が投入されると、第１の制御部９と第２の制御部１０は動作を開始する（Ｓ１００）。通常、携帯電話機は電源が投入された直後には待ち受け画面が表示される事から、表示データ選択部１０４は画像処理を行なう第２の制御部から出力される表示データが選択される（Ｓ１０１）。
【００１８】
この状態で、第１の制御部９が第２の制御部１０にデータの転送を行なわない場合（Ｓ１０２のＮｏ）、第１の制御部９はデータ取り込み用チップセレクト信号１２３をディセーブルに設定することによって（Ｓ１０３）、第２の制御部１０内のゲート部１０３オフにして第１の制御部９のデータバス１２１より出力されるデータを第２の制御部１０内に伝達させないようにする（Ｓ１０４）。これによって、例えば、第１の制御部が、第１の制御部９のデータバス１２１に接続されているメモリＡ８１とデータの送受信を行なう場合でも（Ｓ１０５）、データバス１２１のＨｉｇｈ／Ｌｏｗ変化が第２の制御部１０内の内部回路１０２や入力バッファ等を余計に動作させ、無駄に流れる電流を抑止する事が可能となる。
【００１９】
この場合、第１の制御部９が第１の制御部９のデータバス１２１に接続されている、例えばメモリＡ８１とデータの送受信を行なう場合、第２の制御部１０はスタンバイ状態に遷移しても構わないし、アプリケーション等を実行していても構わない。第１の制御部９と第２の制御部１０の間でデータの送受信が発生せず、各々独立して動作している状態であればよい。
【００２０】
次に、第１の制御部９が第２の制御部１０にデータの転送を行なう場合（Ｓ１０２のＹｅｓ）、第１の制御部９はデータ取り込み用チップセレクト信号１２３をイネーブルに設定することによって（Ｓ１０６）、第２の制御部１０内のゲート回路１０３をオンにして第１の制御部９のデータバス１２１より出力されるデータを第２の制御部１０内に伝達させるようにする（Ｓ１０７）。
【００２１】
第２の制御部１０がマルチメディア関連アプリケーションを実行している状態では、当然、第２の制御部１０はスタンバイ状態に遷移することはありえない（Ｓ１０８のＮｏ）。よって、マルチメディア関連アプリケーションに必要な静止画／動画やテキスト文字等のデータは、第２の制御部１０のＣＰＵ部１０１にて生成され、ＣＰＵ部１０１から出力されるデータ出力信号Ａ１２４にて表示データ選択部１０４に出力される。表示データ選択部１０４は第２の制御部１０がスタンバイ状態に遷移していないので、第２の制御部１０より出力される表示データを選択して、第２の制御部１０のデータバス１２２を介して表示データを表示部６に出力し（Ｓ１０９）、データの表示を行なう（Ｓ１１０）。この状態で第１の制御部９は、第２の制御部１０の内部回路１０２とデータの送受信を実施する（Ｓ１１１）。
【００２２】
更に、第２の制御部１０におけるアプリケーション処理を全て終了し、待ち受け画面のみ表示するような状態になった場合、一般的に携帯電話機では電池の持ちを良くするために低消費電力モードであるスタンバイ状態に遷移する（Ｓ１０８のＹｅｓ）。第２の制御部１０がスタンバイ状態に遷移したら、第２の制御部１０による画面表示は行なわれなくなるため、表示部６への表示データの出力元は第２の制御部１０から第１の制御部９に移ることになる。そこで、表示データ選択部１０４は、第２の制御部１０の動作モードがスタンバイ状態に遷移したことを受けて、第１の制御部から入力される表示データを選択するように設定が変更される（Ｓ１１２）。これによって、第１の制御部９のデータバス１２１より出力された表示データが、第２の制御部１０の接続端子１０５を介して第２の制御部１０に入力され、先に設定されたデータ取り込み用チップセレクト信号１２３のイネーブル設定によりオンされたゲート部１０３を経由して、表示データ選択部１０４に送られる。表示データ選択部１０４では、第１の制御部９より出力された表示データを選択し、第２の制御部１０のデータバス１２２を介して表示データを表示部６に出力し（Ｓ１１３）、データの表示を行なう（Ｓ１１０）。
【００２３】
第２の制御部１０がスタンバイ状態のままであった場合（Ｓ１１４のＮｏ）、第２の制御部１０からデータが送られてくる事は無いので、Ｓ１１３に戻り、第１の制御部９より出力される表示データを表示部６に出力して表示を継続し、スタンバイ状態が解除された場合（Ｓ１１４のＹｅｓ）、一旦、Ｓ１０１に戻って表示データ選択部１０４の表示データを第２の制御部１０側に切り換え、以後同様の処理を行なう。
【００２４】
本実施の形態ではパラレルバスである制御部のデータバスを例にとって説明をしたが、２つの制御部を接続する部がシリアルデータバスやビデオインターフェースの様な水平／垂直の同期信号と同期したデジタル映像信号であったとしても本発明を逸脱するものではない。
【００２５】
本発明の第２の実施の形態について説明する。図３に、本発明の第２の実施の形態を示すブロック図を示す。図１と同一の機能部分には同一の番号を付しており、同一機能部分の説明は省略する。
【００２６】
１２６は第１の制御部９のデータバス１２１に接続されている周辺デバイスとデータの送受信を行なうための周辺デバイス用チップセレクト信号（以降、ＣＳ２信号とする）である。
【００２７】
通常、複数のデバイスが接続されるデータバスの場合、データの送受信先を特定するためにチップセレクト信号を用いる。チップセレクト信号はデータバスに接続される各デバイスに１本ずつ接続されており、データの送受信が発生した時だけ、対応するデバイスのチップセレクト信号をイネーブルにしてデータの送受信を行なう。２つのチップセレクト信号が同時にイネーブルになる事はない。ここでは、チップセレクト信号はＬｏｗアクティブの信号として説明する。
【００２８】
以下、本発明の第２の実施の形態を図４のフローチャートと図５のデータ送受信タイミング図を用いて説明する。携帯電話機の電源が投入されると、第１の制御部９と第２の制御部１０は動作を開始する（Ｓ１００）。この時、第１の制御部９のデータバス１２１に接続される複数のデバイスとデータの送受信を行なうためのチップセレクト信号は、全てディセーブルになっている。従って、第２の制御部１０のゲート部１０３はオフ状態になっている（Ｓ２００）。また、携帯電話機は電源が投入された直後には待ち受け画面が表示される事から、表示データ選択部１０４は画像処理を行なう第２の制御部から出力される表示データが選択される（Ｓ１０１）。
【００２９】
この状態で、第１の制御部９が第２の制御部１０にデータの転送を行なわない場合（Ｓ１０２のＮｏ）、第１の制御部９はデータの送受信を行ないたい周辺デバイスのチップセレクト信号をイネーブル状態に遷移させ、データの送受信を行なう。図３では、第１の制御部９のデータバス１２１には、第２の制御部１０の他にメモリＡ８１が接続されているので、メモリＡ８１に対してデータの送受信を行なう場合について説明する。第１の制御部はＣＳ２信号を制御し、周辺デバイス用チップセレクト信号１２６を制御して、メモリＡ８１のデバイス選択信号をイネーブル状態にする。第１の制御部９はメモリＡ８１がイネーブル期間にデータの送受信を行なう（Ｓ２０１）。ＣＳ２信号はゲート部１０３をオン／オフする信号では無いので、図５の通りＣＳ１信号がディセーブル期間中のゲート部１０３は常にオフとなるため、第１の制御部９のデータバス１２１より出力されるデータが第２の制御部１０に伝達されない。その為、データバス１２１のＨｉｇｈ／Ｌｏｗ変化が第２の制御部１０内の内部回路１０２や入力バッファ等を余計に動作させ、無駄に流れる電流を抑止する事が可能となる。
【００３０】
この場合、第２の制御部１０はスタンバイ状態に遷移しても構わないし、アプリケーション等を実行していても構わない。第１の制御部９と第２の制御部１０の間でデータの送受信が発生せず、各々独立して動作している状態であれば良い。
次に、第１の制御部９が第２の制御部１０にデータの転送を行なう場合（Ｓ１０２のＹｅｓ）、第２の制御部１０がスタンバイ状態にあるかどうかで動作が異なる。
【００３１】
第２の制御部１０がマルチメディア関連アプリケーションを実行している状態では、当然、第２の制御部１０はスタンバイ状態に遷移することはありえない（Ｓ１０８のＮｏ）。よって、マルチメディア関連アプリケーションに必要な静止画／動画やテキスト文字等のデータは、第２の制御部１０のＣＰＵ部１０１にて生成され、ＣＰＵ部１０１から出力されるデータ出力信号Ａ１２４にて表示データ選択部１０４に出力される。表示データ選択部１０４は第２の制御部１０がスタンバイ状態に遷移していないので、第２の制御部１０より出力される表示データを選択して、第２の制御部１０のデータバス１２２を介して表示データを表示部６に出力し（Ｓ１０９）、データの表示を行なう（Ｓ１１０）。第１の制御部９は第２の制御部１０とデータの送受信を行なうべく、ＣＳ１信号をイネーブルにする。ＣＳ１信号がイネーブル期間中、データ取り込み用チップセレクト信号１２３によってゲート部１０３はオンとなり、第１の制御部９と第２の制御部１０の内部回路１０２との間でデータの送受信を行なう事が可能となる（Ｓ２０２）。
【００３２】
更に、第２の制御部１０におけるアプリケーション処理を全て終了し、待ち受け画面のみ表示するような状態になった場合、一般的に携帯電話機では電池の持ちを良くするために低消費電力モードであるスタンバイ状態に遷移する（Ｓ１０８のＹｅｓ）。第２の制御部１０がスタンバイ状態に遷移したら、第２の制御部１０による画面表示は行なわれなくなるため、表示部６への表示データの出力元は第２の制御部１０から第１の制御部９に移ることになる。そこで、表示データ選択部１０４は、第２の制御部１０の動作モードがスタンバイ状態に遷移したことを受けて、第１の制御部から入力される表示データを選択するように設定が変更される（Ｓ１１２）。第１の制御部９は第２の制御部１０にデータを出力するために、ＣＳ１信号をイネーブルにする。ＣＳ信号１がイネーブル期間中、図５の通りデータ取り込み用チップセレクト信号１２３によってゲート部１０３はオンとなり、第１の制御部９から出力されたデータは第２の制御部１０に出力出来るようになる（Ｓ２０３）。これによって、第１の制御部９のデータバス１２１より出力された表示データが、第２の制御部１０の接続端子１０５を介して第２の制御部１０に入力され、ゲート部１０３を経由して、表示データ選択部１０４に送られる。表示データ選択部１０４では、第１の制御部９より出力された表示データを選択し、第２の制御部１０のデータバス１２２を介して表示データを表示部６に出力し（Ｓ１１３）、データの表示を行なう（Ｓ１１０）。
【００３３】
第２の制御部１０がスタンバイ状態のままであった場合（Ｓ１１４のＮｏ）、第２の制御部１０からデータが送られてくる事は無いので、Ｓ１１３に戻り、第１の制御部９より出力される表示データを表示部６に出力して表示を継続し、スタンバイ状態が解除された場合（Ｓ１１４のＹｅｓ）、一旦、Ｓ１０１に戻って表示データ選択部１０４の表示データを第２の制御部１０側に切り替え、以後同様の処理を行なう。
【００３４】
本実施の形態においては、表示データ選択部の入力データの選択切り換えは、第２の制御部１０の動作モードがスタンバイ状態に遷移したかどうかで自動的に切り換えを行なったが、例えば、スタンバイ状態に遷移する前に第２の制御部１０が手動で表示データ選択部の切り換えを行なったり、それ以外の動作モードで表示データの切り換えを行なったりしても構わない。
【００３５】
本発明の第３の実施の形態について説明する。図６に、本発明の第３の実施の形態を示すブロック図を示す。図１と同一の機能部分には同一の番号を付しており、同一機能部分の説明は省略する。
【００３６】
１２７は表示データ選択部１０４の表示データ選択指示信号であり、例えば第１の制御部９の汎用ポートが用いられる。第１の制御部９より表示データが送出される場合は、本表示データ選択指示信号１２７によって、表示データ選択部１０４によって選択される表示データを、第１の制御部９より出力される表示データを選択し、それ以外の場合は、第２の制御部１０より出力される表示データを選択するように制御される。
【００３７】
以下、本発明の第３の実施の形態を図７のフローチャートを用いて説明する。携帯電話機の電源が投入されると、第１の制御部９と第２の制御部１０は動作を開始する（Ｓ１００）。通常、携帯電話機は電源が投入された直後には待ち受け画面が表示される事から、表示データ選択部１０４は第２の制御部１０より出力される表示データを選択して出力する事になる為、第１の制御部９は汎用ポートを用いて表示データ選択部１０４が第２の制御部から出力される表示データを選択するよう設定される（Ｓ３００）。この状態で、第１の制御部９が第２の制御部１０にデータの転送を行なわない場合（Ｓ１０２のＮｏ）、第１の制御部９はデータ取り込み用チップセレクト信号１２３をディセーブルに設定することによって（Ｓ１０３）、第２の制御部１０内のゲート部１０３オフにして第１の制御部９のデータバス１２１より出力されるデータを第２の制御部１０内に伝達させないようにする（Ｓ１０４）。これによって、例えば、第１の制御部が、第１の制御部９のデータバス１２１に接続されているメモリＡ８１とデータの送受信を行なう場合でも（Ｓ１０５）、データバス１２１のＨｉｇｈ／Ｌｏｗ変化が第２の制御部１０内の内部回路１０２や入力バッファ等を余計に動作させ、無駄に流れる電流を抑止する事が可能となる。
【００３８】
この場合、第１の制御部９が第１の制御部９のデータバス１２１に接続されている、例えばメモリＡ８１とデータの送受信を行なう場合、第２の制御部１０はスタンバイ状態に遷移しても構わないし、アプリケーション等を実行していても構わない。第１の制御部９と第２の制御部１０の間でデータの送受信が発生せず、各々独立して動作している状態であればよい。
【００３９】
次に、第１の制御部９が第２の制御部１０にデータの転送を行なう場合（Ｓ１０２のＹｅｓ）、第１の制御部９はデータ取り込み用チップセレクト信号１２３をイネーブルに設定することによって（Ｓ１０６）、第２の制御部１０内のゲート回路１０３をオンにして第１の制御部９のデータバス１２１より出力されるデータを第２の制御部１０内に伝達させるようにする（Ｓ１０７）。
【００４０】
第２の制御部１０がマルチメディア関連アプリケーションを実行している状態では、当然、第２の制御部１０はスタンバイ状態に遷移することはありえない（Ｓ１０８のＮｏ）。よって、マルチメディア関連アプリケーションに必要な静止画／動画やテキスト文字等のデータは、第２の制御部１０のＣＰＵ部１０１にて生成され、ＣＰＵ部１０１から出力されるデータ出力信号Ａ１２４にて表示データ選択部１０４に出力される。表示データ選択部１０４は第１の制御部９の汎用ポートによって、予め、第２の制御部１０より出力される表示データが選択されて出力されるように設定されているため、第２の制御部１０より出力される表示データを選択して、第２の制御部１０のデータバス１２２を介して表示データを表示部６に出力し（Ｓ１０９）、データの表示を行なう（Ｓ１１０）。この状態で第１の制御部９は、第２の制御部１０の内部回路１０２とデータの送受信を実施する（Ｓ１１１）。
【００４１】
更に、第２の制御部１０におけるアプリケーション処理を全て終了し、待ち受け画面のみ表示するような状態になった場合、一般的に携帯電話機では電池の持ちを良くするために低消費電力モードであるスタンバイ状態に遷移する（Ｓ１０８のＹｅｓ）。第２の制御部１０がスタンバイ状態に遷移したら、第２の制御部１０による画面表示は行なわれなくなるため、表示部６への表示データの出力元は第２の制御部１０から第１の制御部９に移ることになる。そこで、第１の制御部９は汎用ポートを用いて、表示データ選択部１０４が第１の制御部から出力される表示データを選択して出力するように設定を変更する（Ｓ３０１）。これによって、第１の制御部９のデータバス１２１より出力された表示データが、第２の制御部１０の接続端子１０５を介して第２の制御部１０に入力され、先に設定されたデータ取り込み用チップセレクト信号１２３のイネーブル設定によりオンされたゲート部１０３を経由して、表示データ選択部１０４に送られる。表示データ選択部１０４では、第１の制御部９より出力された表示データを選択し、第２の制御部１０のデータバス１２２を介して表示データを表示部６に出力し（Ｓ１１３）、データの表示を行なう（Ｓ１１０）。
【００４２】
第２の制御部１０がスタンバイ状態のままであった場合（Ｓ１１４のＮｏ）、第２の制御部１０からデータが送られてくる事は無いので、Ｓ１１３に戻り、第１の制御部９より出力される表示データを表示部６に出力して表示を継続し、スタンバイ状態が解除された場合（Ｓ１１４のＹｅｓ）、一旦、Ｓ１０１に戻って表示データ選択部１０４の表示データを第２の制御部１０側に切り替え、以後同様の処理を行なう。
【００４３】
ここまで、ゲート部１０３のオン／オフ切り換え方法と表示データ選択部１０４のデータ選択切り換え方法について各種方法を述べたが、これら方法はそれぞれ個別に用いても、複数を組み合わせて用いても、全て同様の効果が得られる。
【００４４】
本発明の第４の実施の形態について説明する。本発明の第３の実施の形態を示すブロック図は図１と同一であるため、説明は省略する。
【００４５】
以下、本発明の第４の実施の形態を図８のフローチャートを用いて説明する。携帯電話機の電源が投入されて、第１の制御部９と第２の制御部１０は動作を開始する（Ｓ１００）ところから、第２の制御部１０がスタンバイ状態に遷移する（Ｓ１０８のＹｅｓ）までは、第１の実施の形態と同じであるため、説明は省略する。
【００４６】
第２の制御部１０におけるアプリケーション処理を全て終了し、待ち受け画面のみ表示するような状態になった場合、一般的に携帯電話機では電池の持ちを良くするために低消費電力モードであるスタンバイ状態に遷移する（Ｓ１０８のＹｅｓ）。第２の制御部１０がスタンバイ状態に遷移したら、第２の制御部１０による画面表示は行なわれなくなるため、表示部６への表示データの出力元は第２の制御部１０から第１の制御部９に移ることになる。そこで、第２の制御部１０は、表示データ選択部１０４が第１の制御部９から入力される表示データを選択するように、第２の制御部１０によって手動で設定が変更され、設定変更後にスタンバイ状態に遷移する（Ｓ４００）。これによって、第１の制御部９のデータバス１２１より出力された表示データが、第２の制御部１０の接続端子１０５を介して第２の制御部１０に入力され、先に設定されたデータ取り込み用チップセレクト信号１２３のイネーブル設定によりオンされたゲート部１０３を経由して、表示データ選択部１０４に送られる。表示データ選択部１０４では、第１の制御部９より出力された表示データを選択し、第２の制御部１０のデータバス１２２を介して表示データを表示部６に出力し（Ｓ１１３）、データの表示を行なう（Ｓ１１０）。
【００４７】
第２の制御部１０がスタンバイ状態のままであった場合（Ｓ１１４のＮｏ）、第２の制御部１０からデータが送られてくる事は無いので、Ｓ１１３に戻り、第１の制御部９より出力される表示データを表示部６に出力して表示を継続し、スタンバイ状態が解除された場合（Ｓ１１４のＹｅｓ）、一旦、Ｓ１０１に戻り、第２の制御部１０によって表示データ選択部１０４の表示データを第２の制御部１０側に切り換え、以後同様の処理を行なう。
【００４８】
本発明では、１つの表示手段に２つの制御手段が表示を行なう場合でも、同時に表示手段へ表示データが書き込まれることで生じる表示ミスを防ぐ事が可能になる。
【００４９】
以上、これまでの実施の形態で、表示ミスを防いだり、携帯端末装置の待ち受け時間や通話時間の延長を図る事ができる。
【００５０】
更に、第１の制御部９のデータバス１２１の信号変化が第２の制御部１０の入力バッファや内部回路を不必要に動作させる事がなくなる事で、データバス１２１のドライブ能力を低減させる事が可能になるため、データバス１２１動作時に発生し、無線通信部２に対して影響を及ぼす高周波ノイズの発生を抑えられる効果も期待できる。
【００５１】
また、これまでの実施の形態に記載されている第１の制御部と第２の制御部を有する信号制御回路を、携帯端末装置以外の２つ以上の制御部を内蔵する装置にも適用できる。その結果、消費電力が低減されたり、第１の制御部９のデータバス１２１の信号変化が第２の制御部１０の入力バッファや内部回路を不必要に動作させる事がなくなる事で、データバス１２１のドライブ能力を低減させる事が可能になるため、データバス１２１動作時に発生し、他の回路に対して影響を及ぼす高周波ノイズの発生を抑えられる効果も期待できる。
【００５２】
【発明の効果】
本発明では、１つの表示手段に２つの制御手段が表示を行なう場合でも、同時に表示手段へ表示データが書き込まれることで生じる表示ミスを防ぐ事が可能になる。
【００５３】
また、入力バッファや内部回路における無駄な電流を防ぐことが可能になるため、携帯端末装置の待ち受け時間や通話時間の延長を図る事ができる。
【図面の簡単な説明】
【図１】本発明による携帯端末装置及びそれに用いる低消費電力部の第１の実施の形態の構成図である。
【図２】本発明による携帯端末装置及びそれに用いる低消費電力部の第１の実施の形態のフローチャートの一例である。
【図３】本発明による携帯端末装置及びそれに用いる低消費電力部の第２の実施の形態の構成図である。
【図４】本発明による携帯端末装置及びそれに用いる低消費電力部の第２の実施の形態のフローチャートの一例である。
【図５】本発明による携帯端末装置及びそれに用いる低消費電力部の第２の実施の形態のゲート回路の動作状況の一例である。
【図６】本発明による携帯端末装置及びそれに用いる低消費電力部の第３の実施の形態の構成図である。
【図７】本発明による携帯端末装置及びそれに用いる低消費電力部の第３の実施の形態のフローチャートの一例である。
【図８】本発明による携帯端末装置及びそれに用いる低消費電力部の第４の実施の形態のフローチャートの一例である。
【図９】本発明による無線通信装置の従来例の構成図である。
【符号の説明】
１…アンテナ、２…無線通信部、３…符号復号処理部、４…マイク、５…レシーバ、６…表示部、７…入力部、８…従来例のメモリ部、９…第１の制御部、１０…第２の制御部、５０…従来例の制御部、５１…従来例の携帯ゲームの制御部、５２…従来例の第１の表示部、５３…従来例の第２の表示部、５４…従来例の開閉状態検出部、８１…メモリＡ、８２…メモリＢ、１０１…第２の制御部のＣＰＵ部、１０２…第２の制御部の内部回路、１０３…ゲート部、１０４…表示データ選択部、１０５…接続端子、１２１…第１の制御部のデータバス、１２２…第２の制御部のデータバス、１２３…データ取り込み用チップセレクト信号、１２４…データ出力信号Ａ、１２５…データ出力信号Ｂ、１２６…周辺デバイス用チップセレクト信号、１２７…表示データ選択指示信号、１２８…表示データ選択部指示信号
【図１】
2004180040.tif 000003
【図２】
2004180040.tif 000004
【図３】
2004180040.tif 000005
【図４】
2004180040.tif 000006
【図５】
2004180040.tif 000007
【図６】
2004180040.tif 000008
【図７】
2004180040.tif 000009
【図８】
2004180040.tif 000010
【図９】
2004180040.tif 000011